(57)【要約】【課題】様々な形状の端末装置に対応可能であって、且つ、携帯端末の配置位置を誘導させて即時にクーポン等の電子クーポンを発行可能とする。【解決手段】通信ネットワーク５を通じて、管理サーバー２から電子クーポンが変換されたバーコードＣを取得し、取得した電子クーポンに基づくバーコードＣを表示する表示部１３ａを有するユーザー端末１と、コードリーダー部３１６によって読み取ったバーコードＣに基づく電子クーポンを出力するサービス提供端末３とを備え、サービス提供端末３は、ユーザー端末１が挿入可能な所定容積の読取空間３１７内において、読取に適した位置を照明により指示する誘導照明３１５と、読取空間３１７に、少なくとも、ユーザー端末１を操作するユーザーに対向する前面における開口部３１９と、前面に対する左右いずれか一方の側方に開口部３１１とが形成されている。【選択図】  図１
2015007948.tif 000002
【特許請求の範囲】
【請求項１】
価値情報を発行する価値情報発行システムであって、
通信ネットワーク上に設置され、各ユーザーに対して前記価値情報を発行する管理サーバーと、
各ユーザーがそれぞれ所有し、前記通信ネットワークを通じて、前記管理サーバーから前記価値情報が変換されたコード情報を取得し、取得した前記価値情報に基づく前記コード情報を表示する表示部を有するユーザー端末と、
前記表示部に表示されたコード情報を、光学的に読み取るコードリーダー部を有し、前記コードリーダー部が読み取ったコード情報に基づく価値情報を出力するサービス提供端末と
を備え、
前記サービス提供端末は、
前記ユーザー端末が挿入可能な所定容積の読取空間に臨ませるようにして、前記コードリーダー部を下方に向けて保持する筐体と、
前記コードリーダー部による前記コード情報の読取りに際し、前記読取空間内において、前記読取に適した位置を照明により指示する誘導照明と
を有し、
前記読取空間には、少なくとも、前記ユーザー端末を操作するユーザーに対向する前面、及び前記前面に対する左右いずれか一方の側方に開口部が形成されている
ことを特徴とする価値情報発行システム。
【請求項２】
前記管理サーバーは、
各ユーザーが使用する前記ユーザー端末の表示部の種別と、前記コード情報の表示形態とを関連づけて蓄積する種別情報データベースと、
前記ユーザー端末から、当該ユーザー端末の表示部の種別を取得する種別情報取得部と、
前記種別情報取得部が取得した前記種別情報に基づいて、前記種別情報データベースを照合し、各ユーザー端末に応じた位置又は大きさに表示されるように、前記価値情報を前記コード情報に変換するコード情報変換部と
をさらに備えることを特徴とする請求項１に記載の価値情報発行システム。
【請求項３】
前記コードリーダー部は、
レーザー光を往復させて投光することにより前記コード情報を照射し、その反射光を受光して前記コード情報を読み取り、
前記誘導照明は、前記レーザー光の投光範囲と重複する範囲を照射する
ことを特徴とする請求項１に記載の価値情報発行システム。
【請求項４】
各ユーザーがそれぞれ使用するユーザー端末で、通信ネットワーク上の管理サーバーから価値情報が変換されたコード情報を取得し、取得した前記価値情報に基づく前記コード情報を前記ユーザー端末の表示部に表示させ、
前記表示部に表示されたコード情報を、コードリーダー部で光学的に読み取り、読み取ったコード情報に基づく価値情報を出力するサービス提供端末であって、
前記ユーザー端末が挿入可能な所定容積の読取空間に臨ませるようにして、前記コードリーダー部を下方に向けて保持する筐体と、
前記コードリーダー部による前記コード情報の読取りに際し、前記読取空間内において、前記読取に適した位置を照明により指示する誘導照明と
を有し、
前記読取空間には、少なくとも、前記ユーザー端末を操作するユーザーに対向する前面、及び前記前面に対する左右いずれか一方の側方に開口部が形成されている
ことを特徴とするサービス提供端末。
【請求項５】
前記コードリーダー部が読み取ったコード情報に基づき出力された価値情報に関する情報を前記管理サーバーに通知する通知部をさらに備えることを特徴とする請求項４に記載のサービス提供端末。
【請求項６】
前記コードリーダー部は、
レーザー光を往復させて投光することにより前記コード情報を照射し、その反射光を受光して前記コード情報を読み取り、
前記誘導照明は、前記レーザー光の投光範囲と重複する範囲を照射する
ことを特徴とする請求項４に記載のサービス提供端末。
【請求項７】
価値情報を発行する価値情報発行方法であって、
通信ネットワーク上に設置された管理サーバーにおいて、各ユーザーに対して価値情報を発行する価値情報発行ステップと、
各ユーザーがそれぞれ使用するユーザー端末において、前記通信ネットワークを通じて、前記管理サーバーから前記価値情報が変換されたコード情報を取得し、取得した前記価値情報に基づく前記コード情報を、前記ユーザー端末の表示部に表示するコード情報表示ステップと、
前記ユーザー端末が挿入可能な所定容積の読取空間を有するサービス提供端末において、前記表示部に表示されたコード情報を、コードリーダー部で光学的に読み取るコード情報読取ステップと、
前記コードリーダー部が読み取ったコード情報に基づく価値情報を出力する価値情報出力ステップと
を有し、
前記コード情報読み取りステップでは、
前記読取空間には、少なくとも、前記ユーザー端末を操作するユーザーに対向する前面、及び前記前面に対する左右いずれか一方の側方に開口部が形成され、
前記コード情報の読取りに際し、前記読取空間に臨ませるようにして前記コードリーダー部を下方に向けて保持するとともに、前記読取空間内において、前記読取に適した位置を誘導照明により指示する
ことを特徴とする価値情報発行方法。
【請求項８】
前記価値情報発行ステップでは、前記管理サーバーにおいて、各ユーザーが使用する前記ユーザー端末の表示部の種別情報と、前記コード情報の表示形態とを関連づけて種別情報データベースに蓄積し、
前記コード情報表示ステップでは、前記管理サーバーにおいて、前記ユーザー端末から、当該ユーザー端末の表示部の種別を取得し、前記種別情報取得部が取得した前記種別情報に基づいて、前記種別情報データベースを照合し、各ユーザー端末に応じた位置又は大きさに表示されるように、前記価値情報を前記コード情報に変換する
ことを特徴とする請求項７に記載の価値情報発行方法。
【請求項９】
前記コード情報読み取りステップにおいて、
前記コードリーダー部は、レーザー光を往復させて投光することにより前記コード情報を照射し、その反射光を受光して前記コード情報を読み取り、
前記誘導照明は、前記レーザー光の投光範囲と重複する範囲を照射する
ことを特徴とする請求項７に記載の価値情報発行方法。
【請求項１０】
ユーザーに対して発行された価値情報に基づく前記コード情報を、各ユーザーがそれぞれ使用するユーザー端末の表示部に表示させ、前記表示部に表示されたコード情報を、サービス提供端末のコードリーダー部で光学的に読み取り、読み取ったコード情報に基づく価値情報を出力する価値情報発行システムで用いられる管理サーバーであって、
通信ネットワーク上に設置され、各ユーザーに対して前記価値情報を発行する価値情報発行部と、
各ユーザーが使用する前記ユーザー端末の表示部の種別情報と、前記コード情報の表示形態とを関連づけて蓄積する種別情報データベースと、
前記ユーザー端末から、当該ユーザー端末の表示部の種別を取得する種別情報取得部と、
前記種別情報取得部が取得した前記種別情報に基づいて、前記種別情報データベースを照合し、各ユーザー端末に応じた位置又は大きさに表示されるように、各ユーザーに発行された前記価値情報を前記コード情報に変換するコード情報変換部と
を備え、
前記サービス提供端末では、
前記ユーザー端末が挿入可能な所定容積の読取空間に臨ませるようにして、前記コードリーダー部が下方に向けて保持され、
前記コード情報の読取りに際し、前記読取空間内において、前記読取に適した位置が誘導照明により指示され、
前記読取空間には、少なくとも、前記ユーザー端末を操作するユーザーに対向する前面、及び前記前面に対する左右いずれか一方の側方に開口部が形成されており、
前記コード情報変換部は、前記読取空間内における前記誘導照明の照射範囲に応じた、位置又は大きさに表示されるように前記コード情報を変換する
ことを特徴とする管理サーバー。
【請求項１１】
前記コードリーダー部は、
レーザー光を往復させて投光することにより前記コード情報を照射し、その反射光を受光して前記コード情報を読み取り、
前記誘導照明は、前記レーザー光の投光範囲と重複する範囲を照射し、
前記コード情報変換部は、レーザー光の投光範囲と重複する範囲に応じた位置又は大きさに表示されるように前記コード情報を変換する
ことを特徴とする請求項１０に記載の管理サーバー。
【発明の詳細な説明】
【技術分野】
【０００１】
本発明は、クーポン券やポイントなどの商業的に利用される価値情報を発行する価値情報発行システム、価値情報発行方法、サービス提供端末、及び管理サーバーに関する。
【背景技術】
【０００２】
従来、店舗が集客・購入促進を行うための手段として、商品購入時において、顧客に付加価値を供与するためのクーポン券やポイントなどの価値情報を配布することが広く行われている。特に近年では、クーポン情報を電子化したいわゆる電子クーポンが、インターネット等のネットワークを通じて配布され、利用されている（例えば、特許文献１）。
【０００３】
特許文献１に開示された技術は、ネットワークを通じて顧客が取得したクーポン情報を、店舗のクーポン発行装置を用いて、紙媒体のクーポン券として発行するものである。詳述すると、このクーポン発行装置では、先ず、顧客が、携帯端末から店舗のＷｅｂサイトにアクセスし、そのＷｅｂサイト上において、クーポンに関する電子化された情報をダウンロードする等して取得する。そして、クーポンを使用する際には、電子クーポンが表示された端末画面を店舗側の専用の読み取り機にかざすことにより、読み取り機にクーポン情報を読み取らせて、その情報を、レシート等の紙媒体に印刷するという形で、実際のクーポン券を発行している。このような店舗側のクーポン発行装置によれば、各店舗における電子クーポンの利用実績を、サービス側で一元的に取得可能となる。
【０００４】
また、このようなクーポン発行装置の形態としては、例えば、発行装置の前面に、携帯端末を挿入可能な所定容積の読取空間が設けられており、ユーザーに、この読取り空間内に携帯端末を挿入させることで、携帯端末の画面上に表示されたバーコードを、読み取り機が読み取り可能な位置に誘導することができる。
【先行技術文献】
【特許文献】
【０００５】
【特許文献１】特開２００７−１７２０２３号公報
【発明の概要】
【発明が解決しようとする課題】
【０００６】
しかしながら、バーコードリーダーによるバーコードの読み取りに際しては、画面上のバーコードが、画面内の適切な位置に表示されていなければ適正に読み取れないため、ユーザーは、画面上に表示されたバーコードが読み取り可能となるまで、携帯端末の位置を修正しなければならず、その利便性に欠けるという問題があった。
【０００７】
また、現在、携帯電話やスマートフォンなどの携帯情報端末の普及に伴い，その形状やサイズも多様化しており、例えば、従前の携帯電話の画面よりも画面サイズの大きな、いわゆるタブレット端末を利用するユーザーも増えている。ところが、従来のクーポン発行装置では、画面サイズの小さい携帯電話等に対応して設計されているため、サイズの大きいタブレット端末をクーポン発行装置の読み取り空間内に臨ませることができず、適正にクーポン情報を読み取らせることができずにクーポンが発行できないという惧れもある。
【０００８】
そこで、本発明は、上記のような問題を解決するものであり、様々な形状の端末装置に対応可能であって、且つ、携帯端末の配置位置を誘導させて即時にクーポン券を発行可能とすることができ、より集客・購入促進に貢献することができる価値情報発行システム、価値情報発行方法、サービス提供端末、及び管理サーバーを提供することを目的とする。
【課題を解決するための手段】
【０００９】
上記課題を解決するために、本発明は、価値情報を発行する価値情報発行システムであって、通信ネットワーク上に設置され、各ユーザーに対して価値情報を発行する管理サーバーと、各ユーザーがそれぞれ所有し、通信ネットワークを通じて、管理サーバーから価値情報が変換されたコード情報を取得し、取得した価値情報に基づくコード情報を表示する表示部を有するユーザー端末と、表示部に表示されたコード情報を、光学的に読み取るコードリーダー部を有し、コードリーダー部が読み取ったコード情報に基づく価値情報を出力するサービス提供端末を備える。
【００１０】
そして、サービス提供端末は、ユーザー端末が挿入可能な所定容積の読取空間に臨ませるようにして、コードリーダー部を下方に向けて保持する筐体と、コードリーダー部によるコード情報の読取りに際し、読取空間内において、読取に適した位置を照明により指示する誘導照明とを有し、読取空間には、少なくとも、ユーザー端末を操作するユーザーに対向する前面、及び前面に対する左右いずれか一方の側方に開口部が形成されていることを特徴とする。
【００１１】
また、他の発明は、価値情報を発行する価値情報発行方法であって、
（１）通信ネットワーク上に設置された管理サーバーにおいて、各ユーザーに対して価値情報を発行する価値情報発行ステップと、
（２）各ユーザーがそれぞれ使用するユーザー端末において、通信ネットワークを通じて、管理サーバーから価値情報が変換されたコード情報を取得し、取得した価値情報に基づくコード情報を、ユーザー端末の表示部に表示するコード情報表示ステップと、
（３）ユーザー端末が挿入可能な所定容積の読取空間を有するサービス提供端末において、表示部に表示されたコード情報を、コードリーダー部で光学的に読み取るコード情報読取ステップと、
（４）コードリーダー部が読み取ったコード情報に基づく価値情報を出力する価値情報出力ステップを有している。
【００１２】
そして、コード情報読み取りステップでは、読取空間には、少なくとも、ユーザー端末を操作するユーザーに対向する前面、及び前面に対する左右いずれか一方の側方に開口部が形成され、コード情報の読取りに際し、読取空間に臨ませるようにしてコードリーダー部を下方に向けて保持するとともに、読取空間内において、読取に適した位置を誘導照明により指示する。
【００１３】
ここで、価値情報とは、例えば、商品の販売又はサービスの提供に対して付加価値を有するポイントや引換券、割引券、回数券等のクーポン券等が含まれる。また、コード情報とは、価値情報をコード化した情報であって、数字や文字等のテキストの組み合わせでもよく、バーコードや、ＱＲコード（登録商標）等の二次元コードのように、文字列等の情報がコード化され、コードに対応した図形情報により示されるものが含まれる。
【００１４】
これらのような本発明によれば、サービス提供端末には、ユーザー端末を操作するユーザーに対向する前面、及び前面に対する左右いずれか一方の側方に開口部が形成されているので、サービス提供端末の幅よりもサイズの大きな端末装置であっても、コード情報が表示された画面をコードリーダー部の下方に配置させて、コードリーダー部に臨ませることができる。このように本発明によれば、様々な携帯端末に対応して価値情報を発行することができるので、より集客・購入促進に貢献することができる。
【００１５】
このとき、本発明では、サービス提供端末の読取空間内において、読取に適した位置を指示する誘導照明を備えているので、この誘導照明に従って端末を配置させることで、容易にコード情報を読み取らせることができ、適正に価値情報を発行することができる。
【００１６】
上記発明において、管理サーバーは、ユーザー端末における表示部の種別情報と、コード情報の表示形態とを関連づけて蓄積する種別情報データベースと、ユーザー端末から、当該ユーザー端末の表示部の種別を取得する種別情報取得部と、種別情報取得部が取得した種別情報に基づいて、種別情報データベースを照合し、各ユーザー端末に応じた位置又は大きさに表示されるように、価値情報を前記コード情報に変換するコード情報変換部とをさらに備えることが好ましい。
【００１７】
ここで、各端末の表示部の種別情報とは、端末の機種ごとに設定された表示画面のサイズや形状、解像度、方式などを示した情報が含まれる。この場合、管理サーバーが、各端末の種別情報に応じて、画面サイズや形状、解像度などを特定し、その画面上に表示されるコード情報の位置や大きさを変更した画像情報を送信するので、店舗においてユーザーが、ユーザー端末の向きや位置を考慮することなく、ユーザー端末をサービス提供端末の読取空間内に挿入させることのみで、即時にコード情報を適正に且つ迅速に読み取らせることができる。これにより、ユーザーに対して円滑にクーポン券の発行が行え、割引サービス等を提供することができ、より集客・購入促進に貢献することができる。
【００１８】
上記発明において、コードリーダー部は、レーザー光を往復させて投光することによりコード情報を照射し、その反射光を受光してコード情報を読み取り、誘導照明は、レーザー光の投光範囲と重複する範囲を照射することが好ましい。この場合、誘導照明は、コードリーダー部から発行されるレーザー光の投光範囲と重複するように照射しているので、ユーザーが、表示部に表示されたコード情報を誘導照明の範囲内に収まるように、端末を位置させることのみで、即時にコードリーダー部がコード情報を読み取り可能となる。これにより、ユーザーに煩雑な作業させることなく、即時に付加価値のあるサービスを提供することができ、より集客・購入促進に貢献することができる。
【００１９】
上記価値情報の発行システム及び発行方法では、以下のような他の発明であるサービス提供端末及び管理サーバーを用いることができる。すなわち、サービス提供端末の発明は、各ユーザーが使用するユーザー端末で、通信ネットワーク上の管理サーバーから価値情報が変換されたコード情報を取得し、取得した価値情報に基づくコード情報をユーザー端末の表示部に表示させ、表示部に表示されたコード情報を、コードリーダー部で光学的に読み取り、読み取ったコード情報に基づく価値情報を出力するサービス提供端末である。
【００２０】
そして、このサービス提供端末は、ユーザー端末が挿入可能な所定容積の読取空間に臨ませるようにして、コードリーダー部を下方に向けて保持する筐体と、コードリーダー部によるコード情報の読取りに際し、読取空間内において、読取に適した位置を照明により指示する誘導照明とを有し、読取空間には、少なくとも、ユーザー端末を操作するユーザーに対向する前面、及び前面に対する左右いずれか一方の側方に開口部が形成されていることを特徴とする。
【００２１】
このような本発明によれば、サービス提供端末には、ユーザー端末を操作するユーザーに対向する前面、及び前面に対する左右いずれか一方の側方に開口部が形成されているので、サービス提供端末の幅よりもサイズの大きな端末装置であっても、コード情報が表示された画面をコードリーダー部の下方に配置させて、コードリーダー部に臨ませることができる。このように本発明によれば、様々な携帯端末に対応して価値情報を発行することができるので、より集客・購入促進に貢献することができる。
【００２２】
また、本発明によれば、サービス提供端末の読取空間内において、読取に適した位置を指示する誘導照明を備えているので、この誘導照明に従って端末を位置させることで、即時にコード情報を読み取って価値情報を発行することができる。
【００２３】
上記発明において、コードリーダー部が読み取ったコード情報に基づき出力された価値情報に関する情報を管理サーバーに通知する通知部をさらに備えることが好ましい。ここで、出力された価値情報に関する情報とは、例えば、サービス提供端末が紙媒体に価値情報を印字して出力したことを示す情報が含まれる。この場合、管理サーバーでは、出力された価値情報の情報を取得することができるので、当該価値情報の消し込み処理が行えるとともに、使用実績等の情報が取得できるため、マーケティングに活用することができる。
【００２４】
また、本発明では、管理サーバーに通知する情報は、読み取りが完了した情報だけでなく、出力がされた情報とすることで、ユーザーが実際に使用可能となった時点で管理サーバー上のデータの更新（消し込み処理等）を行うことができ、実際上のサービス提供状況と、データ上の管理情報とが乖離するのを防止することができる。
【００２５】
詳述すると、コード情報の読み取りは完了したが、例えば、用紙切れ等によって価値情報を出力されなかった場合、通常は、再度、コード情報を読み取って管理サーバーに送信することとなる。ところが、従来では、読み取りが完了した時点で管理サーバーに情報を通知していたため、価値情報が再送された際には、既に消し込み処理が行われ、再送された価値情報は再度利用不可と判断されて、ユーザーが価値情報を利用することができないことがあった。これに対し、本発明では、出力を完了した後にこの価値情報に関する情報を通知する構成としているので、再度、コード情報を読み取らせた場合でも、価値情報を出力することができる。このように、本発明によれば、消し込み処理を行う場合に生じる不都合を防止して、適切にサービスを提供することができる。
【００２６】
また、他の発明である管理サーバーの発明では、ユーザーに対して発行された価値情報に基づくコード情報を、各ユーザーが使用するユーザー端末の表示部に表示させ、表示部に表示されたコード情報を、サービス提供端末のコードリーダー部で光学的に読み取り、読み取ったコード情報に基づく価値情報を出力する価値情報発行システムで用いられる管理サーバーである。
【００２７】
この管理サーバーは、通信ネットワーク上に設置され、各ユーザーに対して価値情報を発行する価値情報発行部と、各ユーザーが使用するユーザー端末の表示部の種別情報と、コード情報の表示形態とを関連づけて蓄積する種別情報データベースと、
ユーザー端末から、当該ユーザー端末の表示部の種別を取得する種別情報取得部と、
種別情報取得部が取得した種別情報に基づいて、種別情報データベースを照合し、各ユーザー端末に応じた位置又は大きさに表示されるように、各ユーザーに発行された価値情報を前記コード情報に変換するコード情報変換部を備える。
【００２８】
そして、サービス提供端末では、ユーザー端末が挿入可能な所定容積の読取空間に臨ませるようにして、コードリーダー部が下方に向けて保持され、コード情報の読取りに際し、読取空間内において、読取に適した位置が誘導照明により指示され、読取空間には、少なくとも、ユーザー端末を操作するユーザーに対向する前面、及び前面に対する左右いずれか一方の側方に開口部が形成されており、コード情報変換部は、読取空間内における誘導照明の照射範囲に応じた、位置又は大きさに表示されるようにコード情報を変換することを特徴とする。
【００２９】
このような本発明によれば、管理サーバーは、サービス提供端末の読取空間における誘導照明の照射範囲に応じた、位置又は大きさに表示されるようにコード情報を変換して、ユーザー端末に送信しているので、ユーザー端末の向きを変更したり、画面上を遷移させることなく、ユーザー端末をサービス提供端末の読取空間内に挿入させることのみで、即時にコード情報を読み取らせることができる。これにより、ユーザーに煩雑な作業させることなく、即時に割引サービス等を提供することができるので、より集客・購入促進に貢献することができる。
【００３０】
上記発明において、コードリーダー部は、レーザー光を往復させて投光することによりコード情報を照射し、その反射光を受光してコード情報を読み取り、誘導照明は、レーザー光の投光範囲と重複する範囲を照射し、コード情報変換部は、レーザー光の投光範囲と重複する範囲に応じた位置又は大きさに表示されるようにコード情報を変換することが好ましい。
【００３１】
この場合には、コード情報変換部は、レーザー光の投光範囲と重複する範囲に応じた位置又は大きさに表示されるようにコード情報を変換しているので、ユーザーが、表示部に表示されたコード情報を誘導照明の範囲内に収まるように、端末を位置させることのみで、即時にコードリーダー部がコード情報を読み取り可能となる。これにより、ユーザーに煩雑な作業させることなく、即時に付加価値のあるサービスを提供することができ、より集客・購入促進に貢献することができる。
【発明の効果】
【００３２】
以上述べたように、この発明によれば、クーポン券やポイント等の価値情報を、通信ネットワークを通じてユーザーに配布するようなサービスの提供において、様々な形状の端末装置に対応可能であって、且つ、携帯端末の配置位置を誘導させて即時にクーポン券を発行することができ、より集客・購入促進に貢献することができる。
【図面の簡単な説明】
【００３３】
【図１】図１は、実施形態に係る価値情報発行システムを示す概念図である。
【図２】図２は、実施形態に係るサービス提供端末の外観を示す斜視図である。
【図３】図３は、実施形態に係るサービス提供端末のコードリーダー部及び誘導照明の位置を示す内部側面図である。
【図４】図４は、実施形態に係るコードリーダー部のバーコード読取機構を示す説明図である。
【図５】図５、実施形態に係る誘導照明の照明範囲を示す説明図である。
【図６】図６（ａ）は、実施形態に係るサービス提供端末の内部構造を示すブロック図であり、同図（ｂ）は、実施形態に係るユーザー端末の内部構造を示すブロック図である。
【図７】図７は、実施形態に係る管理サーバーの内部構造を示すブロック図である。
【図８】図８は、実施形態に係る表示部に表示されたバーコードの位置関係を示す説明図である。
【図９】図９は、実施形態に係る表示部に表示されたバーコードの位置関係を示す説明図である。
【図１０】図１０は、実施形態に係る価値情報発行方法を示すフローチャート図である。
【発明を実施するための形態】
【００３４】
以下に添付図面を参照して、本発明に係る価値情報発行システムの実施形態を詳細に説明する。図１は、本実施形態に係るシステムの全体構成を示す概念図である。図２は、本実施形態に係るサービス提供端末の外観を示す斜視図であり、図３は、その透視側面図である。また、図４は、実施形態に係るコードリーダー部のコード読取機構を示す説明図であり、図５、実施形態に係る誘導照明の照明範囲を示す説明図である。
【００３５】
（価値情報発行システムの全体構成）
図１に示すように、本実施形態に係る価値情報発行システムは、通信ネットワーク５を介して、管理サーバー２からユーザーが使用するユーザー端末１に、価値情報を発行して、店舗Ｓ等において、商品の販売、又はサービスの提供に対して割引するなどのサービスを提供するアプリケーションサービスプロバイダー（Ａｐｐｌｉｃａｔｉｏｎ  Ｓｅｒｖｉｃｅ  Ｐｒｏｖｉｄｅｒ）システムである。なお、価値情報とは、商品の販売又はサービスの提供に対して付加価値を有する情報であって、引換券、割引券、回数券、及び入場券等の電子クーポン情報等が含まれる（以下、単に「電子クーポン」という）。
【００３６】
そして、本実施形態では、図１に示すように、通信ネットワーク５上に、各ユーザーに対して電子クーポンを発行する管理サーバー２と、中継装置４と、中継装置４に接続された無線基地局６と、無線基地局６を通じて無線通信が可能なユーザー端末１と、店舗Ｓに設置されたサービス提供端末３と、電子クーポンの発行を依頼する会社が所有する情報端末７とが配置されている。
【００３７】
通信ネットワーク５は、通信プロトコルＴＣＰ／ＩＰを用いて種々の通信回線（電話回線やＩＳＤＮ回線、ＡＤＳＬ回線、光回線などの公衆回線、専用回線、無線通信網）を相互に接続して構築される分散型の通信ネットワークであり、この通信ネットワークには、１０ＢＡＳＥ−Ｔや１００ＢＡＳＥ−ＴＸ等によるイントラネット（企業内ネットワーク）や家庭内ネットワークのＬＡＮの他、各種ＩＰ網が含まれる。また、通信ネットワーク５には、有線接続やＷｉｆｉ通信を介しての接続が可能であり、例えば、Ｗｉｆｉルーターや無線ＬＡＮルーターなどをアクセスポイントとして、これらと無線通信が可能な端末装置を接続することができる。
【００３８】
ユーザー端末１は、各ユーザーがそれぞれ所有し、無線通信を利用した移動端末であり、一般的な基地局等の中継点と無線で通信し、通話やデータ通信等の通信サービスを移動しつつ受けることができる。また、ユーザー端末１は、無線基地局６との間で無線通信を行う機能と、アプリケーションを実行する機能も備えており、通信ネットワーク５を通じて、管理サーバー２から電子クーポンが変換されたコード情報を取得し、取得した電子クーポンに基づくコード情報を画面上に表示する。本実施形態において、コード情報とは、電子クーポンを一元的なコード情報に変換されたバーコードが用いられる（以下、「バーコード」という。）。なお、本発明は、これに限定するものではなく、例えば、ＱＲコード（登録商標）等の二次元コードを用いてもよい。
【００３９】
ユーザー端末１の通信方式としては、例えば、ＦＤＭＡ方式、ＴＤＭＡ方式、ＣＤＭＡ方式、Ｗ−ＣＤＭＡの他、ＰＨＳ（Ｐｅｒｓｏｎａｌ  Ｈａｎｄｙｐｈｏｎｅ  Ｓｙｓｔｅｍ）方式等が挙げられる。また、上述した通信方式とは別の無線通信インターフェースとして、無線ＬＡＮの規格等に準じたＩＰパケットの送受による通信方式に対応した機能も備えている。さらに、このユーザー端末１は、デジタルカメラ機能、アプリケーションソフトの実行機能、或いはＧＰＳ機能等の機能が搭載され、携帯情報端末（ＰＤＡ）としての機能も果たす。また、また、ユーザー端末１には、Ｂｌｕｅｔｏｏｔｈ（登録商標）送受信部やＷｉｆｉ送受信部（Ｗｉｒｅｌｅｓｓ  Ｆｉｄｅｌｉｔｙ）が設けられる。
【００４０】
無線基地局６は、中継装置４を通じて通信ネットワーク５に接続され、ユーザー端末１との間で無線通信接続を確立し、ユーザー端末１による通話やデータ通信を提供する装置である。中継装置４は、通信ネットワーク５に接続するためのモデムやターミナルアダプタ、ゲートウェイ装置等のノード装置であり、通信経路の選択や、データ（信号）の相互変換を行い、無線基地局６と、通信ネットワーク５との間における中継処理を行う。なお、これら無線基地局６や中継装置４としては、無線ルーターやアクセスポイント装置なども含まれる。
【００４１】
管理サーバー２は、電子クーポンの発行や、その利用状況の収集、及び収集結果を用いたマーケティング調査等を行うサービス提供者が運用するサーバー装置であり、例えば、Ｗｅｂサーバー及びアプリケーションサーバー、データベースサーバーなど機能を分配された複数の装置からなるサーバー群で構成されている。本実施形態では、電子クーポンをコード化したバーコードを、Ｗｅｂサーバー機能により閲覧可能にインターネット上に配置し、専用のビューアーソフトやブラウザソフトにより、当該バーコードのＵＲＬにアクセスすることによって表示可能とし、当該バーコードをサービス提供端末３に読み取らせることで、当該バーコードに応じた電子クーポンによる割引サービス、商品引換サービス、又は入場サービスを提供している。なお、このコードのＵＲＬは、例えば電子メールなどで不特定多数のユーザーに対して配布され、そのＵＲＬを辿って電子クーポン及びバーコードを掲載しているＷｅｂページにアクセスすることにより電子クーポンが利用可能となる。
【００４２】
情報端末７は、商品に対する割引等の電子クーポンの発行を依頼する会社等が所有する情報処理装置であって、ＣＰＵによる演算処理機能、及び通信インターフェースによる通信処理機能を備えたユーザー端末であり、パーソナルコンピューター等の汎用コンピューターや、機能を特化させた専用装置により実現することができ、モバイルコンピューターやＰＤＡ（Ｐｅｒｓｏｎａｌ  Ｄｉｇｉｔａｌ  Ａｓｓｉｓｔａｎｃｅ）、携帯電話機が含まれる。また、この情報端末７は、通信ネットワーク５にアクセスして、データの送受信を行うブラウザ機能も備えている。
【００４３】
店舗Ｓは、例えば、コンビニエンスストアや飲食店等において、販売サービスを提供する施設であり、店員がレジ等の決済処理を担当している。そして、この店舗Ｓ内に設置されたサービス提供端末３を利用して、電子クーポンを紙媒体に発行して、発行された紙媒体上を店員に提示した場合に商品等に対して、割引サービスを提供している。
【００４４】
（サービス提供端末の構成）
上記サービス提供端末３は、ユーザー端末１の表示画面に表示されたバーコードＣを光学的に読み取り、読み取ったバーコードに基づく電子クーポンの情報を紙媒体に出力する専用装置である。このサービス提供端末３は、店員が操作することなく、来店した不特定多数のユーザーが自由に操作できるように、所定位置に設置され、無線ＬＡＮや有線等を通じて通信ネットワーク５に接続されている。なお、サービス提供端末３にもＢｌｕｅｔｏｏｔｈ（登録商標）送受信部やＷｉｆｉ送受信部（Ｗｉｒｅｌｅｓｓ  Ｆｉｄｅｌｉｔｙ）が設けられている。
【００４５】
具体的に、サービス提供端末３は、図２に示すように、ユーザー端末１を挿入可能な所定容積の読取空間３１７を有する筐体３０である。本実施形態において、読取空間３１７は、ユーザー端末１を操作するユーザーに対向する前面に開口部３１９を有しているとともに、その前面に対する左右において、開口部３１１，３１１とが形成されている。なお、本実施形態においては、前面に対する左右の両方向に開口部を形成させたが、いずれか一方の側方にのみ開口部を形成させてもよい。
【００４６】
そして、その読取空間３１７内には、図３に示すように、空間内部に挿入されたユーザー端末１と臨ませるようにして、コードリーダー部３１６を下方に向けて保持している。本実施形態において、コードリーダー部３１６は、図４に示すように、赤色のレーザー光Ｌ１を往復させて投光することにより画面上のバーコードＣを照射し、その反射光Ｌ２をＣＣＤセンサー３１６ｃが受光することで、バーコードの情報を読み取るリーダー装置である。このコードリーダー部３１６は、図４に示すように、レーザー光Ｌ１を出射するレーザーダイオード３１６ａと、レーザー光Ｌ１を反射する揺動自在な反射鏡３１６ｂと、この揺動鏡を揺動させるための揺動モーターとを備え、レーザー光Ｌ１が、バーコードＣを構成する各バーに垂直な方向（以下「走査方向」という）に沿ってバーコードＣ上を往復し、照射する範囲を重なるように、反射鏡３１６ｂを揺動させている。
【００４７】
また、コードリーダー部３１６には、バーコードＣにあてられ、反射した反射光Ｌ２を集光する集光レンズ３１６ｄと、集光された反射光Ｌ２を電気信号に変換するＣＣＤセンサー３１６ｃとを備えている。そして、ＣＣＤセンサー３１６ｃによって変換された電気信号がＣＰＵ等の制御部によって処理され、デジタルデータに変換される。
【００４８】
また、筐体３０には、コードリーダー部３１６によるバーコードＣの読取りに際し、読取空間３１７内において、読取に適した位置を照明により指示する誘導照明３１５を有している。本実施形態において、誘導照明３１５は、レーザー光Ｌ１の投光範囲Ａ１と重複する範囲Ａ２を照射するようになっている。具体的に、誘導照明３１５は、図５に示すように、読取空間３１７の底面部分よりも所定高さｈ離れた位置を読み取りに適した位置とし、当該位置における投光範囲Ａ１と重複するように照明を照射している。なお、本実施形態において、誘導照明３１５は、投光範囲Ａ１と重複するように照明を照射したが、本発明は、これに限定するものではなく、コードリーダー部３１６の読取に適した位置を照明により指示すればよく、例えば、ユーザー端末１の外周部分が位置するべき部分を照らして、奥行き方向を誘導させる構成であってもよい。
【００４９】
また、筐体３０には、ユーザー端末１を操作するユーザーに対向する前面において、読み取られたバーコードＣに基づいて、電子クーポンの情報を紙媒体に印字したクーポン券を排出する排出口３１４が形成されている。本実施形態では、内部に備えられた印字手段によって、紙媒体に商品名、割引率の他、ＰＯＳレジ装置のコードリーダー装置が読み取り可能なコード情報等が印字されて出力される。
【００５０】
また、筐体３０の上部前面には、操作ガイド等の情報を表示する表示部３１２ａ及びユーザー操作を受け付けるテンキー３１３ａを備えている。このテンキーボタン３１３ａによって、クーポン情報に相当する数値の入力を受け付け可能となっている。本実施形態では、外付けのテンキーを用いず、該当する位置に応じた数字を受け付ける機能に特化した内蔵型のテンキーとしたので、処理速度の向上や、テンキー３１３ａの盗難を防止することができる。
【００５１】
表示部３１２ａには、コードリーダー部３１６による読み取りが開始されることを示す情報や、エラー情報等が表示される。また、表示部３１２ａには、３Ｇ電話回線やＷｉｆｉ等の無線通信の電波強度を電波種別ごとに表示している。なお、本実施形態において、筐体３０には、表示装置と操作ボタン等を備えていればよく、例えば、タッチパネル式の液晶表示装置を用いることができる。
【００５２】
（各装置の内部構成）
次いで、各装置の内部構成について説明する。図６（ａ）は、本実施形態に係るサービス提供端末３の内部構造を示すブロック図であり、図６（ｂ）は、本実施形態に係るユーザー端末１の内部構造を示すブロック図である。また、図７は、本実施形態に係る管理サーバー２の内部構造を示すブロック図である。
【００５３】
また、図８及び図９は、本実施形態に係る表示部１３ａに表示されたコード情報の位置関係を示す説明図である。なお、説明中で用いられる「モジュール」とは、装置や機器等のハードウェア、或いはその機能を持ったソフトウェア、又はこれらの組み合わせなどによって構成され、所定の動作を達成するための機能単位を示す。
【００５４】
（１）サービス提供端末３の内部構造
図６（ａ）に示すように、サービス提供端末３には、制御部３２４と、通信インターフェース３２１と、利用情報通知部３２２と、メモリ３２３と、入力インターフェース３１３と、出力インターフェース３１２とを備えている。
【００５５】
通信インターフェース３２１は、データ通信を行うための通信インターフェースであり、無線等による非接触通信や、ケーブル，アダプタ手段等により接触（有線）通信をする機能を備えている。また、非接触通信としては、Ｗｉｆｉ、Ｂｌｕｅｔｏｏｔｈ（登録商標）等の近距離通信のインターフェースが含まれる。
【００５６】
本実施形態において、通信インターフェース３２１は、通信ネットワーク５を通じて、管理サーバー２に対して、読み取ったバーコードＣの情報や、当該バーコードＣに基づき出力された電子クーポンに関する情報（以下、「出力情報」という。）を送信するとともに、管理サーバー２から電子クーポンに関する出力可否結果の情報を受信する。なお、本実施形態において、出力情報とは、サービス提供端末３が紙媒体に価値情報を印字して出力したことを示す情報である。
【００５７】
メモリ３２３は、ＯＳ（Ｏｐｅｒａｔｉｎｇ  Ｓｙｓｔｅｍ）や本実施形態に係る電子クーポン発行用のプログラム、その他のデータ等などを記憶する記憶装置である。また、メモリ３２３には、サンプル用として印される画像データ（商品、割引率、ＰＯＳレジのコードリーダー装置用のバーコード情報等）が蓄積されており、所定操作によって、この画像データが紙媒体に印字されて出力可能となっている。これにより、サービス提供端末３の設置前に、端末にバーコードＣを表示させて、クーポン券を印字して商品説明を行うことができる。
【００５８】
入力インターフェース３１３は、テンキー３１３ａやタッチパネル、ジョグダイヤルなどユーザー操作を入力するデバイスであり、出力インターフェース３１２は、ディスプレイである表示部３１２ａやスピーカーなど、映像や音響を出力するデバイスである。本実施形態では、通信状態や用紙切れ等が発生した場合には、表示部３１２ａにその情報を表示するとともに、スピーカー等で通知音を出力させる。メモリ３２３は、ＯＳ（Ｏｐｅｒａｔｉｎｇ  Ｓｙｓｔｅｍ）や各種のアプリケーション用のプログラム、その他のデータ等などを記憶する記憶装置である。
【００５９】
制御部３２４は、ＣＰＵやＤＳＰ（Ｄｉｇｉｔａｌ  Ｓｉｇｎａｌ  Ｐｒｏｃｅｓｓｏｒ）等のプロセッサ、メモリ、及びその他の電子回路等のハードウェア、或いはその機能を持ったプログラム等のソフトウェア、又はこれらの組み合わせなどによって構成された演算モジュールであり、プログラムを適宜読み込んで実行することにより種々の機能モジュールを仮想的に構築し、構築された各機能モジュールによって、画像データに関する処理や、各部の動作制御、ユーザー操作に対する種々の処理を行うモジュールである。
【００６０】
そして、本実施形態において、制御部３２４には、価値情報管理部３２４ａと、駆動制御部３２４ｂとを備えている。価値情報管理部３２４ａは、電子クーポンの情報を紙媒体に発行する機能全体を制御するモジュールであり、例えば、利用情報通知部３２２を制御して、管理サーバー２とデータを送受したり、管理サーバー２から受信した利用可否の結果情報に基づいて、駆動制御部３２４ｂを制御して電子クーポンの情報を紙媒体に出力させたりする。
【００６１】
また、価値情報管理部３２４ａは、通信ネットワーク５上で管理サーバー２との接続が有効であることを確認するためのｋｅｅｐ  ａｌｉｖｅ機能を備えている。具体的に、価値情報管理部３２４ａは、定期的に管理サーバー２に対して、所定の信号を送信するようになっている。これにより、不具合が発生した場合であっても、ログ情報を参照することで、端末や通信ネットワーク５上での問題点を即時に発見することができる。
【００６２】
駆動制御部３２４ｂは、サービス提供端末３内の各機能の動作を制御するモジュールであり、コードリーダー部３１６を駆動させて、ユーザー端末１に表示されたバーコードを読み取ったり、誘導照明３１５を点灯させたりする。また、駆動制御部３２４ｂは、価値情報管理部３２４ａの制御に応じて、印刷処理を実行する印字手段３１８を駆動させて電子クーポンの情報を紙媒体に印字して出力する。印字手段３１８としては、内部に設置されたロール紙に電子クーポンの情報を印刷するサーマルプリン等が用いられる。利用情報通知部３２２は、各種のデータを送信するモジュールであり、本実施形態では、読み取ったバーコードに基づく電子クーポンの情報や、出力された電子クーポンに関する情報を管理サーバー２に通知する。
【００６３】
（２）ユーザー端末１の内部構造
ユーザー端末１は、図６（ｂ）に示すように、無線インターフェース１１と、アプリケーション実行部１４と、出力インターフェース１３と、入力インターフェース１２と、メモリ１５とを備えている。
【００６４】
入力インターフェース１２は、操作ボタンやタッチパネル、ジョグダイヤルなどユーザー操作を入力するデバイスであり、出力インターフェース１３は、ディスプレイやスピーカーなど、映像や音響を出力するデバイスである。特に、この出力インターフェース１３には、液晶ディスプレイなどの表示部１３ａが含まれており、アプリケーションにより構築されるＧＵＩ（Ｇｒａｐｈｉｃａｌ  Ｕｓｅｒ  Ｉｎｔｅｒｆａｃｅ）がこの表示部１３ａに表示される。メモリ１５は、ＯＳ（Ｏｐｅｒａｔｉｎｇ  Ｓｙｓｔｅｍ）や各種のアプリケーション用のプログラム、その他のデータ等などを記憶する記憶装置である。
【００６５】
無線インターフェース１１は、通話やデータ通信を行うための移動通信用のプロトコルによる無線通信機能と、例えば無線ＬＡＮ等のデータ通信用のプロトコルによる無線通信機能とを備えている。なお、この無線インターフェースは、モバイルコンピューターやＰＤＡにおいては、無線ＬＡＮアダプタ等により実現することができる。なお、この無線インターフェース１１には、Ｗｉｆｉ等の無線ＬＡＮの他、赤外線通信、Ｂｌｕｅｔｏｏｔｈ（登録商標）等の近距離通信のインターフェースが含まれる。
【００６６】
アプリケーション実行部１４は、一般のＯＳやブラウザソフト、電子メール、画像表示ソフトなどのアプリケーションを実行するモジュールであり、通常はＣＰＵ等により実現される。このアプリケーション実行部１４でアプリケーションを実行することにより、ブラウザ部１４ａが構成される。
【００６７】
ブラウザ部１４ａは、ブラウザソフトを実行することによって構築され、Ｗｅｂページを閲覧するためのモジュールであり、インターネットからＨＴＭＬ（ＨｙｐｅｒＴｅｘｔ  Ｍａｒｋｕｐ  Ｌａｎｇｕａｇｅ）ファイルや画像ファイルなどをダウンロードし、レイアウトを解析して表示・再生する。また、ブラウザ部１４ａには、ＧＵＩ機能が備えられており、ユーザーに対する画面表示と、その画面上におけるクリック操作や文字入力などを受け付ける。
【００６８】
本実施形態において、ブラウザ部１４ａは、管理サーバー２から取得した電子クーポンに基づくバーコードＣをユーザー端末１の表示部１３ａに表示させる。この際、バーコードＣは、各端末の表示部１３ａのサイズに応じて、適切に最適な読み取り可能なように、その位置及び大きさが変更されて表示される。
【００６９】
（３）管理サーバー２の内部構造
管理サーバー２は、複数のサーバー装置から構成され、図７に示すように、電子クーポンの発行や消し込み処理等を行う運用側サーバー２ａと、電子クーポンの配信等を行う外部サーバー２ｂとから構成される。本実施形態において、運用側サーバー２ａと外部サーバー２ｂとは、複数のサーバー装置を用い、別システムで運用しているものとするが、本発明はこれに限定するものではなく、この外部サーバー２ｂと運用側サーバー２ａとを単一の装置としてもよいし、さらに複数のサーバー装置を用いてもよい。
【００７０】
運用側サーバー２ａには、通信インターフェース２３と、制御部２１と、データベース群である記憶部２２とを備えている。記憶部２２は、価値情報データベース２２３と、サービス提供端末情報データベース２２２とを備えている。
【００７１】
種別情報データベース２２１には、ユーザーが使用するユーザー端末１の表示部１３ａの種別情報と、コード情報の表示形態とを関連づけて蓄積するデータベースである。ここで、表示部１３ａの種別情報とは、ユーザー端末１の表示画面のサイズや解像度、方式等を示す情報である。
【００７２】
価値情報データベース２２３は、電子クーポンに関する情報を蓄積するデータベースであり、電子クーポンを識別する識別情報（電子クーポンの内容を示す番号等）に、使用期限、使用済みフラグ等の情報が関連づけて蓄積されている。サービス提供端末情報データベース２２２は、各店舗に設置されたサービス提供端末３に関する情報を蓄積するデータベースであり、サービス提供端末３を識別する識別情報に、店舗の位置や電話番号等の店舗情報等が関連づけて蓄積されている。
【００７３】
管理サーバー２の通信インターフェース２３は、通信ネットワーク５を通じてユーザー端末１及びサービス提供端末３との間でデータの送受信を行う通信インターフェースである。この通信インターフェース２３を通じて、例えば、サービス提供端末３から読み取られたバーコードＣの情報、又は出力情報を取得したり、印刷処理の可否結果の情報を送信したりする。
【００７４】
制御部２１は、ＣＰＵやＤＳＰ（Ｄｉｇｉｔａｌ  Ｓｉｇｎａｌ  Ｐｒｏｃｅｓｓｏｒ）等のプロセッサ、メモリ、及びその他の電子回路等のハードウェア、或いはその機能を持ったプログラム等のソフトウェア、又はこれらの組み合わせなどによって構成された演算モジュールであり、プログラムを適宜読み込んで実行することにより種々の機能モジュールを仮想的に構築し、構築された各機能モジュールによって、各部の動作制御、ユーザー操作に対する種々の処理を行っている。本実施形態において、制御部２１は、価値情報発行部２１２と、利用情報取得部２１４と、利用可否判定部２１６と、抽選機能部２１７と、消込処理部２１５と、ＵＲＬ生成部２３２と、コード情報配信部２３４と、コード情報変換部２３５と、種別情報取得部２３６を備えている。
【００７５】
価値情報発行部２１２は、電子クーポンの発行を依頼する会社の情報端末７から入力された発行依頼情報に基づいて、商品又はサービスに対する割引券や商品引換券等の電子クーポンを生成するモジュールであり、生成した電子クーポンを価値情報データベース２２３に蓄積する。また、価値情報発行部２１２は、発行した電子クーポンの内容を示すコード番号をＵＲＬ生成部２３２に送信する。
【００７６】
ＵＲＬ生成部２３２は、価値情報発行部２１２から取得したコード番号に基づいて、電子クーポンのＵＲＬを生成するモジュールであり、本実施形態では、ユーザー端末１のアクセス先となるアドレスと、コード番号を暗号化した数値とを組み合わせたＵＲＬを生成する。そして、この生成されたＵＲＬ情報は、価値情報ＤＢに蓄積されるとともに、通信ネットワーク５上にある外部サーバー２ｂに送られる。本実施形態では、本システムを管理・運用する管理者が、通信ネットワーク５に接続された通信機能を有するクライアントＰＣ（不図示）を操作して外部サーバー２ｂに送信している。
【００７７】
外部サーバー２ｂは、情報送信を行うサーバー装置であり、各ユーザー端末１に対して、各電子クーポンのＵＲＬ情報を配信する機能を有している。本実施形態において、外部サーバー２ｂは、電子メールやホームページ等を通じて配信する他、例えば、ファイル転送アプリケーションや、メッセンジャーソフトなどの専用アプリケーションを用いて、上記無線通信リンクを通じてアクセス先のＵＲＬ情報を各ユーザー端末１に配信している。
【００７８】
種別情報取得部２３６は、ユーザー端末１から表示部１３ａの種別を取得するモジュールであり、配信されたＵＲＬ情報に基づいて、ユーザー端末１からアクセスされた際に端末１の種別情報を取得するようになっている。
【００７９】
コード情報変換部２３５は、生成された電子クーポンの情報をバーコードＣ（図４参照）に変換するモジュールである。具体的に、コード情報変換部２３５は、取得したＵＲＬのコード情報部分を復号するとともに、復号された電子クーポンの情報を画像化されたバーコードＣに変換する。この際、コード情報変換部２３５は、取得した当該ユーザー端末１の種別情報に基づいて、種別情報データベース２２１を照会して、そのユーザー端末の画面サイズや形状、解像度、方式などを特定する。そして、コード情報変換部２３５は、バーコードＣの画像を、レーザー光Ｌ１の投光範囲Ａ１と重複する誘導照明３１５の照射範囲Ａ２に応じた、位置又は大きさに表示されるように変換したり、表示位置を修正したりする。
【００８０】
例えば、図８に示すように、画面サイズが小さいスマートフォンや携帯電話等の端末１ａに対しては、画面の上部中央１３ｂにバーコードＣが表示されるように変換する。一方、画面サイズが大きいタブレット端末１ｂに対しては、図９に示すように、画面の上部の左右いずれかの端部分１３ｃにバーコードが表示されるように変換する。
【００８１】
コード情報配信部２３４は、WWW （ World Wide Web ）等のドキュメントシステムにおいて、 HTML （ HyperText Markup Language ）ファイルや画像ファイル、音楽ファイルなどの情報送信を行うサーバコンピュータ或いはその機能を持ったソフトウェアであり、ユーザー端末側の Web ブラウザや専用ソフトウェアなどのクライアントソフトウェアの要求に応じて、コード情報変換部２３５によって変換及び修正されたバーコードをユーザー端末１に配信する。
【００８２】
利用情報取得部２１４は、サービス提供端末３からの各種データを取得するモジュールであり、取得した情報がコードリーダー部３１６から読み取られた電子クーポンである場合には、そのデータを利用可否判定部２１６に送信し、取得した情報が出力情報である場合には、その情報を消込処理部２１５に送信する。
【００８３】
消込処理部２１５は、出力情報に基づいて、価値情報データベース２２３内に蓄積された電子クーポンに対して、使用済みフラグをオンにするなどの、消し込み処理を実行するモジュールである。なお、消込処理部２１５は、電子クーポンに使用期限を設定し、使用期限を経過した際にも消し込み処理を行ってもよい。
【００８４】
利用可否判定部２１６は、取得した電子クーポンが利用可能か否かを判定するモジュールであり、価値情報データベース２２３に記録された使用済みフラグの有無を参照して、その電子クーポンが使用済みか否かを判定する。
【００８５】
抽選機能部２１７は、くじの抽選処理を行うモジュールであり、本実施形態においては、利用可否判定部２１６が利用可能と判断した際に、例えば、乱数を発生させて、乱数によって算出された結果によって「当たり」や「外れ」を決定する。なお、「当たり」には、複数のランクを付けてもよい。抽選機能部２１７は、その抽選結果に応じて付与される電子クーポンを選択して、その情報をサービス提供端末３へ配信する。
【００８６】
（価値情報発行方法）
以上の構成を有する価値情報発行システムを動作させることによって、価値情報を発行する方法を実施することができる。図１０は、本実施形態に係る価値情報発行方法を示すフローチャート図である。
【００８７】
図１０に示すように、先ず、情報端末７から通信ネットワーク５を介して、管理サーバー２に依頼情報が送信される（Ｓ１０１）。価値情報発行部２１２では、依頼情報を受信して、依頼情報に基づいて電子クーポンを発行する（Ｓ１０２）。発行された電子クーポンは、価値情報データベース２２３に蓄積されるとともに、電子クーポンのコード番号がＵＲＬ生成部２３２に送信される。ＵＲＬ生成部２３２では、コード番号を暗号化して、暗号化されたコード番号とアクセス先となるアドレスと含むＵＲＬを生成する。生成されたＵＲＬ情報は、通信ネットワーク５を介して、外部サーバー２ｂに送信され、外部サーバー２ｂから各ユーザー端末１に対して電子メール等で配信される（Ｓ１０３）。
【００８８】
各ユーザー端末１では、通信ネットワーク５を通じて、電子メール等でＵＲＬ情報を取得する。その後、ユーザーが店舗Ｓに移動して、ユーザー端末１を操作して、アドレス（ＵＲＬ）に基づいて管理サーバー２にアクセスする（Ｓ１０４）。コード情報変換部２３５は、ユーザー端末１からアクセスされると、そのＵＲＬに応じて、暗号化されたコード番号を復号し、復号されたコード番号を画像化されたバーコードＣに変換して（Ｓ１０６）、コード情報配信部２３４を介してユーザー端末１に配信する（Ｓ１０７）。
【００８９】
この際、コード情報変換部２３５は、ユーザー端末の画面に最適な位置又は大きさのバーコードＣに修正するようになっている。具体的に、コード情報変換部２３５は、種別情報取得部２３６において取得された種別情報に基づいて、種別情報データベース２２１を照合し（Ｓ１０５）、各ユーザー端末１に応じた位置又は大きさに表示されるように、電子クーポンのコード番号をバーコードＣに変換する。ユーザー端末１では、画像に変換されたバーコードのデータを取得し、取得した電子クーポンに基づくバーコードＣを表示部１３ａに表示させる（Ｓ１０８）。例えば、図８に示すように、画面が小さい端末に対しては、画面の上部中央１３ｂにバーコードＣが表示される。一方、画面サイズが大きいタブレット端末に対しては、図９に示すように、画面の上部の左右いずれかの端部分１３ｃにバーコードＣが表示される。
【００９０】
その後、ユーザーがユーザー端末１をサービス提供端末３の読取空間３１７に挿入させる。ここで、読取空間３１７は、少なくとも、ユーザー端末１を操作するユーザーに対向する前面において開口部３１９を備えるとともに、前面に対する左右いずれか一方の側方に開口部３１１，３１１が形成されている。そのため、タブレット端末を挿入する際には、図９に示すように、一方の側面の開口部３１１から端末がはみ出した状態で、バーコードＣが表示された画面をコードリーダー部の下方に配置させて、コードリーダー部３１６に臨ませる。
【００９１】
一方、画面サイズの小さい端末１ａは、図８に示すように、側面の開口部３１１，３１１から端末がはみ出すことなく、バーコードＣが表示された画面をコードリーダー部の下方に配置させて、コードリーダー部に臨ませる。また、サービス提供端末３では、誘導照明３１５によって、バーコードＣを読取に適した位置に配置させるように指示する。
【００９２】
具体的に、誘導照明３１５は、コードリーダー部３１６によって、レーザー光Ｌ１を往復させて投光された投光範囲Ａ１と重複する範囲Ａ２を照射する。ユーザーがこの範囲Ａ２に画面上のバーコードＣを位置させることで、コードリーダー部３１６は、表示されたバーコードＣに投光したレーザー光Ｌ１の反射光Ｌ２を受光して、バーコードＣを光学的に読み取る（Ｓ１０９）。読み取ったバーコードＣの情報は、利用情報通知部３２２によって、管理サーバー２へ送信される（Ｓ１１０）。管理サーバー２の利用情報取得部２１４は、この情報を受信し（Ｓ１１１）、利用可否判定部２１６に送出される。
【００９３】
利用可否判定部２１６では、価値情報データベース２２３を参照して（Ｓ１１２）、当該バーコードが利用可能か否かを判断する（Ｓ１１３）。当該バーコードの使用済みフラグがオンとなっている場合には、利用不可と判断する（Ｓ１１３における“Ｎ”）。この情報は、サービス提供端末３に送信され（Ｓ１１４）、サービス提供端末３では、この利用不可情報を受信すると、当該バーコードが利用不可である旨を表示部３１２ａに表示したり、紙媒体に印刷したりする（Ｓ１１５）。
【００９４】
一方、当該バーコードの情報の使用済みフラグがオフとなっている場合には、利用可能と判断する（Ｓ１１３における“Ｙ”）。この情報は、サービス提供端末３に送信される（Ｓ１１６）。なお、管理サーバー２では、当該電子クーポンの情報が利用可能である場合には、抽選機能部２１７を機能させてもよく、この場合には、その抽選結果についても合わせてサービス提供端末３へ送信される。
【００９５】
サービス提供端末３では、この利用不可情報を受信すると（Ｓ１１７）、印字手段３１８は、コードリーダー部３１６が読み取ったバーコードＣに基づく電子クーポンの情報を紙媒体に印字する（Ｓ１１８）。印字処理が終了すると、利用情報通知部３２２は、出力情報を管理サーバー２に通知する（Ｓ１１９）。管理サーバー２の消込処理部２１５では、出力情報を取得すると（Ｓ１２０）、価値情報データベース２２３内の当該電子クーポンに対して消し込み処理を行う（Ｓ１２１）。
【００９６】
（作用・効果）
このような本実施形態によれば、サービス提供端末３には、ユーザー端末１を操作するユーザーに対向する前面に開口部３１９を備えるとともに、前面に対する左右いずれか一方の側方に開口部３１１が形成されているので、サービス提供端末３の幅よりもサイズの大きなタブレット端末１ｂを用いた場合でも、バーコードＣが表示された画面をコードリーダー部３１６の下方に配置させて、コードリーダー部３１６に臨ませることができる。このように本実施形態によれば、様々なサイズの携帯端末に対応して電子クーポンを発行することができ、より集客・購入促進に貢献することができる。
【００９７】
また、本実施形態によれば、サービス提供端末３の読取空間３１７内において、読取に適した位置を指示する誘導照明３１５を備えているので、この誘導照明３１５に従ってユーザー端末１を配置させることで、即時にバーコードＣを読み取って電子クーポンを発行することができる。
【００９８】
また、本実施形態において、管理サーバー２は、各ユーザー端末１に応じた位置又は大きさに表示されるように、電子クーポンのデータをバーコードに変換して、当該ユーザー端末１に送信するので、ユーザー端末１の向きを変更したり、画面上を遷移させたりすることなく、ユーザー端末１をサービス提供端末３の読取空間３１７内に挿入させることのみで、即時にバーコードＣを読み取らせることができる。これにより、ユーザーに煩雑な作業させることなく、付加価値のあるサービスを提供することができるので、より集客・購入促進に貢献することができる。
【００９９】
さらに、本実施形態において、コードリーダー部３１６は、レーザー光Ｌ１を往復させて投光することによりバーコードＣを照射し、その反射光Ｌ２を受光してバーコードＣを読み取り、誘導照明３１５は、レーザー光Ｌ１の投光範囲Ａ１と重複する範囲Ａ２を照射するので、ユーザーが、表示部１３ａに表示されたバーコードＣを誘導照明の範囲内に収まるように、端末を位置させることのみで、即時にコードリーダー部３１６がバーコードＣを読み取ることができる。これにより、ユーザーに煩雑な作業させることなく、即時に付加価値のあるサービスを提供することができ、より集客・購入促進に貢献することができる。
【０１００】
また、本実施形態において、コードリーダー部３１６が読み取ったバーコードＣに基づいて、出力情報を管理サーバーに通知するので、当該価値情報の消し込み処理が行えるとともに、使用実績等の情報が取得できるため、マーケティングに活用することができる。
【０１０１】
さらに、本実施形態では、出力情報は、読み取りが完了した情報でなく、出力がされた情報としているので、例えば、用紙切れ等によって価値情報を出力されず、再度、コード情報を読み取らせた場合でも、価値情報を出力することができるので、消し込み処理を行う場合に生じる不都合を防止して、適切にサービスを提供することができる。
【符号の説明】
【０１０２】
１（１ａ，１ｂ）…ユーザー端末
２…管理サーバー
２ａ…運用側サーバー
２ｂ…外部サーバー
３…サービス提供端末
４…中継装置
５…通信ネットワーク
６…無線基地局
７…情報端末
１１…無線インターフェース
１２…入力インターフェース
１３…出力インターフェース
１３ａ…表示部
１３ｂ…上部中央
１３ｃ…端部分
１４…アプリケーション実行部
１４ａ…ブラウザ部
１５…メモリ
２１…制御部
２２…記憶部
２３…通信インターフェース
３０…筐体
２１２…価値情報発行部
２１４…利用情報取得部
２１５…消込処理部
２１６…利用可否判定部
２１７…抽選機能部
２２１…種別情報データベース
２２２…サービス提供端末情報データベース
２２３…価値情報データベース
２３２…ＵＲＬ生成部
２３４…コード情報配信部
２３５…コード情報変換部
２３６…種別情報取得部
３１１，３１９…開口部
３１２…出力インターフェース
３１２ａ…表示部
３１３…入力インターフェース
３１３ａ…テンキー
３１４…排出口
３１５…誘導照明
３１６…コードリーダー部
３１６ａ…レーザーダイオード
３１６ｂ…反射鏡
３１６ｃ…ＣＣＤセンサー
３１６ｄ…集光レンズ
３１７…読取空間
３１８…印字手段
３２１…通信インターフェース
３２２…利用情報通知部
３２３…メモリ
３２４…制御部
３２４ａ…価値情報管理部
３２４ｂ…駆動制御部
【図１】
2015007948.tif 000003
【図２】
2015007948.tif 000004
【図３】
2015007948.tif 000005
【図４】
2015007948.tif 000006
【図５】
2015007948.tif 000007
【図６】
2015007948.tif 000008
【図７】
2015007948.tif 000009
【図８】
2015007948.tif 000010
【図９】
2015007948.tif 000011
【図１０】
2015007948.tif 000012